Podtech/llm-jp-corpus-v4-ja_patent huggingface dataset:
【手続補正書】
【提出日】平成25年5月31日(2013.5.31)
【手続補正１】
【補正対象書類名】明細書
【補正対象項目名】０００２
【補正方法】変更
【補正の内容】
【０００２】
特許文献１には、ドア側ハーネスを挿通したハーネスプロテクタを、車両ドア内に設けたスライドガイド内にスライド自在に係合させると共に、ボディ本体のフロントピラーにプロテクタホルダを介して固定して、ボディ側ハーネスとドア側ハーネスとを接続する車両用ドアハーネスの配索構造が開示されている。この配索構造では、ドアインナーパネルに形成された凹み内にスライドガイドが収容されている。
【手続補正２】
【補正対象書類名】明細書
【補正対象項目名】０００７
【補正方法】変更
【補正の内容】
【０００７】
第２の態様は、第１の態様に係るワイヤーハーネス配索構造であって、前記収容部は、前記ドア内で、前記スピーカーの前記突出部の外周における上方から前記導入側縁部に対して反対側の側方に亘る領域に配置されている。
【手続補正３】
【補正対象書類名】明細書
【補正対象項目名】００５３
【補正方法】変更
【補正の内容】
【００５３】
ドア６の開閉動作に関連付けて説明すると、ドア６の開状態では、外装部材２０が案内部５０の一方側に退避して位置し、該外装部材２０の他方の端部から延び出たワイヤーハーネスＷＨは、第２壁部４２側に余裕空間をあけた状態で第１経路Ｒ１を通って収容空間内に収容されている（図４の２点鎖線参照）。
【手続補正４】
【補正対象書類名】明細書
【補正対象項目名】００５４
【補正方法】変更
【補正の内容】
【００５４】
また、ドア６が開姿勢から閉動作されると、外装部材２０が案内部５０内に前進移動し、その他方の端部から延び出たワイヤーハーネスＷＨは、収容空間における余裕空間に押し込まれて第２壁部４２に近接するように曲げられる。そして、ドア６が閉姿勢になると、ワイヤーハーネスＷＨは、第２経路Ｒ２を通って収容空間内に収容された状態となる（図４の実線参照）。すなわち、ドア６の開状態に比べ、ワイヤーハーネスＷＨが収容空間内により長い寸法分収容されることにより余長吸収される。
【手続補正５】
【補正対象書類名】明細書
【補正対象項目名】００７５
【補正方法】変更
【補正の内容】
【００７５】
このプロテクタＰａは、側面視において、収容空間を挟んで対向する第１壁部４１ａと第２壁部４２ａとを有している。以下、側面視における第１壁部４１ａ及び第２壁部４２ａの形状について説明する。第１壁部４１ａは、直線状の案内部５０の他方の端部からその外周側に向けて傾斜して、該案内部５０と引出口４４ａとの間を結ぶように直線状に延在している。また、第２壁部４２ａは、中間部が第１壁部４１ａに対して離間する向きに膨らんだ曲線状に延在し、案内部５０と引出口４４ａとを結んでいる。この第２壁部４２ａは、プロテクタＰａのドア６内配置状態で、案内部５０に対して下方に膨らむと共に引出口４４ａに対してドア６の後方側に膨らんでいる。
【手続補正６】
【補正対象書類名】明細書
【補正対象項目名】００９２
【補正方法】変更
【補正の内容】
【００９２】
＜第２実施形態＞
次に、第２実施形態に係るワイヤーハーネス配索構造１１０について説明する（図４、図８参照）。ワイヤーハーネス配索構造１１０のうち、第１実施形態に係るワイヤーハーネス配索構造に対して構成上異なる部分は、プロテクタＰｓの案内部１５０だけであり、同様の構成については同符号を付して説明を省略する。
【手続補正７】
【補正対象書類名】明細書
【補正対象項目名】００９５
【補正方法】変更
【補正の内容】
【００９５】
第２実施形態に係るワイヤーハーネス配索構造１１０によると、収容部４０及び案内部１５０がスピーカー９０の突出部９２の外周位置に配置されるため、ドアインナーパネル７に形成する凹みを省略することができる。また、上述した第１実施形態に係るワイヤーハーネス配索構造１０が奏する作用効果も得られる。
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
規定人数の選手で編成されたチーム同士の対戦ゲームを実行するための各プレーヤチームの選手を管理するコンピュータシステムであって、
複数の選手それぞれに対応づけて、当該選手に関するカードに付与されたＩＤを記憶する記憶手段と、
プレーヤ端末からの操作入力に従って前記ＩＤの使用登録要求を受け付ける受付手段と、
前記記憶手段の記憶内容を参照して前記受付手段により受け付けられたＩＤに対応する選手を登録選手として使用登録する使用登録手段と、
前記使用登録手段により使用登録された選手をプレーヤチームに編成登録する編成登録手段と、レンタル選手をプレーヤチームに編成登録するレンタル選手編成登録手段とを有し、選手数が前記規定人数となるようにチーム編成を行うチーム編成手段と、
を備え、
前記チーム編成手段は、交代目的に関連づけた交代要員の選手の編成を行う交代要員編成手段を有する、
コンピュータシステム。
【請求項２】
前記対戦ゲームを進行制御することで試合のシミュレーションを行う進行制御手段と、
前記シミュレーションに係る試合の様子を示す画像を表示制御する手段と、
を更に備えた請求項１に記載のコンピュータシステム。
【請求項３】
前記チーム編成手段により編成されたチームに係る選手のうち、所与の条件を満たす選手の能力パラメータを用いて、当該チームの戦術パラメータを制御する戦術パラメータ制御手段を更に備え、
前記進行制御手段は、前記戦術パラメータを用いて前記対戦ゲームを進行制御する、
請求項２に記載のコンピュータシステム。
【請求項４】
前記記憶手段は、複数の監督それぞれに対応付けて、当該監督に関するカードに付与されたＩＤを更に記憶しており、
前記チーム編成手段は、前記使用登録手段により使用登録されたＩＤに対応する監督を最大１人までプレーヤチームに編成登録する監督編成登録手段を有し、監督を編成登録するためには前記使用登録が必要であることを特徴とする、
請求項１〜３の何れか一項に記載のコンピュータシステム。
【請求項５】
前記チーム編成手段は、前記プレーヤチームのチーム編成用の画面として、規定ポジション毎に、前記使用登録手段により使用登録された選手のアイコン、或いは、前記レンタル選手のアイコンを表示する画面を表示制御する手段を有する、
請求項１〜４の何れか一項に記載のコンピュータシステム。
【請求項６】
複数の選手それぞれに対応づけて、当該選手に関するカードに付与されたＩＤを記憶する記憶部を備えたコンピュータに、各プレーヤチームの選手を管理させ、規定人数の選手で編成されたチーム同士の対戦ゲームを実行させるためのプログラムであって、
プレーヤ端末からの操作入力に従って前記ＩＤの使用登録要求を受け付ける受付手段、
前記記憶部の記憶内容を参照して前記受付手段により受け付けられたＩＤに対応する選手を登録選手として使用登録する使用登録手段、
前記使用登録手段により使用登録された選手をプレーヤチームに編成登録する編成登録手段と、レンタル選手をプレーヤチームに編成登録するレンタル選手編成登録手段とを有し、選手数が前記規定人数となるようにチーム編成を行うチーム編成手段、
として前記コンピュータを機能させ、
前記チーム編成手段は、交代目的に関連づけた交代要員の選手の編成を行う交代要員編成手段を有する、
プログラム。
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
患者における内皮機能の非侵襲的評価のためのシステムであって、該システムは、
該患者の末端における経壁圧を低下させるための手段、
種々の圧力におけるプレチスモグラフィシグナルの振幅を測定するための手段、
該プレチスモグラフィシグナルの振幅が最大である圧力を検出するための手段、
該最大振幅の所定の％まで該圧力を低下させるための手段、
少なくとも５分間にわたって閉塞検査を実行するための手段、および
該末端の観察される部位の近位に位置決めされたカフにおいて、測定された収縮期圧を少なくとも５０ｍｍＨｇ上回る圧力を生成させるための手段を備え、
該末端の組織に加えられる圧力が、５ｍｍＨｇであり、かつ５〜１０秒間持続する各増分によって徐々に増加し、同時にプレチスモグラフィ出力の振幅が記録されることで特徴付けられる、システム。
【請求項２】
前記経壁圧が、圧力を生成するように構成された前記カフを前記末端の観察される部位上に配置することによって低下することで特徴付けられる、請求項１に記載のシステム。
【請求項３】
前記末端の観察される動脈における前記経壁圧を低下させるために、力学的な力が、該末端の組織に対して局所的に加えられることで特徴付けられる、請求項１に記載のシステム。
【請求項４】
前記末端の観察される動脈における前記経壁圧を低下させるために、静水圧が、心臓の高さより高い指定された高さに該末端を上げることによって低減されることで特徴付けられる、請求項１に記載のシステム。
【請求項５】
前記プレチスモグラフィシグナルの振幅が最大の振幅の５０％であるように前記経壁圧の値が決定された後、過度の収縮期圧が、前記末端の観察される動脈のごく近位に配置された閉塞カフにおいて生成され、そして該プレチスモグラフィシグナルが、記録されることで特徴付けられる、請求項１に記載のシステム。
【請求項６】
前記観察される動脈のごく近位に配置された前記カフによる少なくとも５分間の閉塞の後、該カフにおける圧力が、０まで低減され、そして参照チャネルおよびモニタリングチャネルが、前記プレチスモグラフィシグナルの変化を、少なくとも３分間にわたって同時に記録するように構成されていることで特徴付けられる、請求項５に記載のシステム。
【請求項７】
前記閉塞検査の後の前記記録されたプレチスモグラフィシグナルが、前記参照チャネルおよびモニタリングチャネルによって収集されたデータに基づく振幅解析および時間的解析の両方を使用して分析されることで特徴付けられる、請求項１および６に記載のシステム。
【請求項８】
前記参照チャネルからの振幅解析が、前記モニタリングチャネルから収集された振幅解析と比較される間、該モニタリングチャネルにおける振幅の増大の速度が、分析され、種々の経壁圧の間に記録された最大出力の振幅の関係が、前記閉塞検査の実行後に記録された該出力の最大振幅と比較されることで特徴付けられる、請求項７に記載のシステム。
【請求項９】
前記時間的解析の間に、前記参照チャネルおよびモニタリングチャネルによって収集されたプレチスモグラフィ波形が、比較され、次いで、出力が、正規化され、そして時間遅延または位相変化が、決定されることで特徴付けられる、請求項７に記載のシステム。
【請求項１０】
装置を備える請求項１に記載のシステムであって、該装置は、末梢動脈からの脈波シグナルを検出し得る二重チャネルセンサーブロック、血圧カフにおいて徐々に増大する圧力を生成し得る空気式ユニット、および該カフにおいて生成された、プレチスモグラフィ出力の最大振幅に対応する圧力を測定し、そして該最大振幅の割り当てられた％に対応する該プレチスモグラフィ出力の振幅に対応する該カフにおける圧力を生成するために該空気式ユニットを運転し得る電子ブロックを備え、さらに、該センサーブロックが、該電子ブロックに接続され、該電子ブロックが、次いで出口を介して該空気式ユニットに連結されている、システム。
【請求項１１】
前記空気式ユニットが、前記カフにおける圧力を生成することができ、該圧力が、５秒間〜１０秒間の時間増分を伴う５ｍｍＨｇの増分で徐々に増大することで特徴付けられる、請求項１０に記載のシステム。
【請求項１２】
前記センサーブロックの各チャネルが、赤外線ダイオードおよび感光体を備え、該赤外線ダイオードおよび感光体の両方が、観察される領域を通過する光シグナルを記録する能力を有して位置することで特徴付けられる、請求項１０に記載のシステム。
【請求項１３】
前記センサーブロックのチャネルの各々が、赤外線ダイオードおよび感光体を備え、該赤外線ダイオードおよび感光体の両方が、観察される領域から反射された乱散光シグナルを記録する能力を有して位置することで特徴付けられる、請求項１０に記載のシステム。
【請求項１４】
前記センサーブロックが、インピーダンス測定電極、またはＨａｌｌセンサー、または導電性材料によって満たされた弾性チューブを備えることで特徴付けられる、請求項１０に記載のシステム。
【請求項１５】
光レセプターが、脈波成分を雑多なシグナルからフィルタリングする能力を有するフィルターに接続されていることで特徴付けられる、請求項１２に記載のシステム。
【請求項１６】
前記装置が、前記感光体を光に対する外部曝露から保護する直角に配置された偏光フィルターをさらに備えることで特徴付けられる、請求項１３に記載のシステム。
【請求項１７】
前記センサーブロックが、身体の観察される部位の指定された温度を維持するための手段を備えることで特徴付けられる、請求項１０に記載のシステム。
【請求項１８】
前記装置が、内皮組織評価の結果を表示するための液晶スクリーン、および／または収集されたデータをコンピューターに転送するための、前記電子ブロックに接続されたインターフェイスシステムを備えることで特徴付けられる、請求項１０に記載のシステム。
【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
δＰＫＣアイソザイムによって調節される疾患状態について処置するための薬学的組成物であって、治療有効量の、（ａ）配列番号２７、配列番号２８、配列番号２９および配列番号３０、ならびに（ｂ）（ａ）におけるアミノ酸配列における保存的アミノ酸置換を有し、かつ、δＰＫＣアイソザイムによって調節される疾患状態の処置の活性を有するペプチドからなる群より選択されるペプチドを含み、該処置を必要とする哺乳動物へと投与するために処方されたものである、薬学的組成物。
【請求項２】
前記ペプチドが、配列番号２６のＮ末端の２アミノ酸を含まない、請求項１に記載の薬学的組成物。
【請求項３】
前記ペプチドが、キャリアペプチドに結合体化されている、請求項１または２に記載の薬学的組成物。
【請求項４】
前記ペプチドが、ポリ−Ａｒｇ、Ｔａｔ、またはＤｒｏｓｏｐｈｉｌａ  Ａｎｔｅｎｎａｐｅｄｉａホメオドメインから選択されるキャリアペプチドにＣｙｓ−Ｃｙｓ結合している、請求項３に記載の薬学的組成物。
【請求項５】
前記ペプチドが、配列番号２７、配列番号２８、配列番号２９および配列番号３０からなる群から選択される、請求項１に記載の薬学的組成物。
【請求項６】
（ａ）配列番号２７、配列番号２８、配列番号２９および配列番号３０、ならびに（ｂ）（ａ）におけるアミノ酸配列における保存的アミノ酸置換を有し、かつ、δＰＫＣアイソザイムによって調節される疾患状態の処置の活性を有するペプチドからなる群より選択されるδＰＫＣ  Ｖ５ペプチド。
【請求項７】
前記ペプチドが、配列番号２６のＮ末端の２アミノ酸を含まない、請求項６に記載のペプチド。
【請求項８】
前記ペプチドが、キャリアペプチドに結合体化されている、請求項６に記載のペプチド。
【請求項９】
前記ペプチドが、ポリ−Ａｒｇ、Ｔａｔ、またはＤｒｏｓｏｐｈｉｌａ  Ａｎｔｅｎｎａｐｅｄｉａホメオドメインから選択されるキャリアペプチドにＣｙｓ−Ｃｙｓ結合している、請求項８に記載のペプチド。
【請求項１０】
配列番号２７、配列番号２８、配列番号２９および配列番号３０からなる群から選択される、請求項６に記載のペプチド。
【請求項１１】
薬学的処方物であって、薬学的に受容可能な賦形剤および請求項６に記載のペプチドを含む、処方物。
【請求項１２】
薬学的処方物であって、薬学的に受容可能な賦形剤および請求項８に記載のペプチド／キャリア結合体を含む、処方物。
【請求項１３】
薬学的処方物であって、薬学的に受容可能な賦形剤および請求項９に記載のペプチド／キャリア結合体を含む、処方物。
【請求項１４】
薬学的処方物であって、薬学的に受容可能な賦形剤および請求項１０に記載のペプチドを含む、処方物。
【請求項１５】
明細書に記載の発明。
【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012176956.tif 000001
［式中、
Ｒ３、Ｒ４、Ｒ５、Ｒ６、Ｒ７、Ｒ８、Ｒ９、及びＲ１０は、同じ又は異なり、水素原子；ヒドロキシ基；ニトロソ基；ニトロ基；モノサッカリド；ジサッカリド；ハロゲン原子；ヒドロカルビル基、又は官能性ヒドロカルビル基（非置換又は１個以上のヒドロキシ部分、カルボキシ部分、ニトロキシ部分、モノサッカリド、ジサッカリド、アミン、アミド、チオール、スルフェート、スルホネート、スルホンアミドもしくはハロゲンで置換されており、ヒドロカルビルは１〜８個の炭素原子を有する）；−Ｒ１１Ｒ１２基｛Ｒ１１及びＲ１２は、同じ又は異なっていてよく、水素原子、１〜１８個の炭素原子を有する直鎖又は分枝鎖アルキル基（１個以上のヒドロキシ及び／又はアミノ基をさらに持っていてもよい）、置換又は非置換アリール基（１個以上のヘテロ原子を含んでいてもよい）、又はアシル基を表すか、又はＲ１１とＲ１２は一緒になって２〜６個の、置換されていてもよいＣＨ２基を有する環を形成する｝；アゾ基−Ｎ＝Ｎ−Ｒ１３｛Ｒ１３は芳香族系（１個以上のカルボキシル基及び／又はホスホリル基で置換されていてもよい）又は糖、アミノ酸、ペプチドもしくはステロイドホルモンからなる群から選ばれる基を表す｝を表すか；又はＲ１とＲ６及びＲ２とＲ７は、それぞれ、互いから独立して、１〜４個の、置換されていてもよいＣＨ２基を有する環を一緒になって形成し；そして
Ｒ１及びＲ２は、同じ又は異なり、水素原子；ハロゲン原子；ヒドロキシ基；ヒドロカルビル基、又は官能性ヒドロカルビル基（非置換又は１個以上のヒドロキシ部分、カルボキシ部分、ニトロキシ部分、モノサッカリド、ジサッカリド、アミン、アミド、チオール、スルフェート、スルホネート、スルホンアミドもしくはハロゲンで置換されており、ヒドロカルビルは１〜８個の炭素原子を有する）；モノ−、ジ−又はトリアルキルシリル基（互いに独立して各場合において直鎖又は分枝鎖アルキル基に１〜６個の炭素原子を有する）；モノ−、ジ−又はトリアリールシリル基（互いに独立して各場合において置換又は非置換アリール基を有する）；−ＮＲ１７Ｒ１８基｛Ｒ１７及びＲ１８は、同じ又は異なっていてよく、水素原子、１〜１８個の炭素原子を有する直鎖又は分枝鎖アルキル基（１個以上のヒドロキシ及び／又はアミノ基をさらに持っていてもよい）、置換又は非置換アリール基（１個以上のヘテロ原子を含んでいてもよい）、又はアシル基を表す｝；メチレンアミノ基−ＣＨ２−ＮＲ１７Ｒ１８（Ｒ１７及びＲ１８は上記定義を有する）；アミドとして窒素に結合している生理的アミノ酸残基、置換又は非置換モノサッカリド、ジサッカリド又はオリゴサッカリド；又は糖、アミノ酸、ペプチドもしくはステロイドホルモンを表す］の化合物を含む、リウマチ様関節炎、狼瘡、多発性硬化症、Ｉ型糖尿病、II型糖尿病、炎症性腸疾患、胃腸合併症、および胃腸障害からなる群から選ばれる炎症関連疾患を治療および／または予防するための医薬組成物。
【請求項２】
胃腸合併症が下痢であり、胃腸障害がセリアック病及び非特異性大腸炎からなる群から選ばれる請求項１に記載の医薬組成物。
【請求項３】
少なくともＲ１又はＲ２が、モノサッカリド、ジサッカリド（非置換又は１個以上のヒドロキシ部分もしくはカルボキシ部分で置換されている）；ハロゲン；ヒドロカルビル基、又は官能性ヒドロカルビル基（非置換又は１個以上のヒドロキシ部分、カルボキシ部分、ニトロキシ部分、モノサッカリド、ジサッカリド、アミン、アミド、チオール、スルフェート、スルホネート、スルホンアミドもしくはハロゲンで置換されており、ヒドロカルビルは１〜８個の炭素原子を有する）である、請求項１または２に記載の組成物。
【請求項４】
少なくともＲ１又はＲ２がメチル基である、請求項３に記載の組成物。
【請求項５】
Ｒ３、Ｒ４、Ｒ５、Ｒ６、Ｒ７、Ｒ８、Ｒ９及びＲ１０が水素であり、Ｒ１が水素でありＲ２がメチル基であるか、Ｒ１がトリアセチル化モノサッカリドでありＲ２がメチル基であるか、又はＲ１がトリアセチル化モノサッカリドでありＲ２が水素であるかのいずれかである、請求項１または２に記載の組成物。
【請求項６】
薬学的に許容できる担体をさらに含み、前記化合物がメイソインジゴである、請求項１〜５のいずれかに記載の組成物。
【請求項７】
前記化合物の用量が５ｍｇ〜１５０ｍｇである、請求項１〜６のいずれかに記載の組成物。
【請求項８】
前記化合物の用量が約２５ｍｇ、５０ｍｇ、７５ｍｇ、及び１００ｍｇからなる群から選択される、請求項７に記載の組成物。
【請求項９】
前記化合物の用量が、前炎症性サイトカインの発現を阻害することによって又は抗炎症性サイトカインの発現を刺激することによって又はこれら双方によって炎症関連疾患を治療するに足る量であるが、その量は、ＣＤＫ２、ＣＤＫ４及びＣＤＫ６からなる群から選択されるサイクリン依存性キナーゼ（ＣＤＫ）の５０％を阻害するに足る量より少ない、請求項１〜８のいずれかに記載の組成物。
【請求項１０】
抗炎症薬をさらに含む請求項１〜９のいずれかに記載の組成物。
【請求項１１】
抗炎症薬が、鎮痛薬；抗リウマチ薬；胃腸薬；痛風用製剤；グルココルチコイド；眼科用製剤；呼吸器薬；鼻用製剤；及び粘膜薬からなる群から選ばれる、請求項１０に記載の組成物。
【請求項１２】
鎮痛薬が、ナプロキセン、インドメタシン、イブプロフェン、ケトロラクトロメタミン、コリンマグネシウムトリサリチル酸及びロフェコキシブからなる群から選ばれ；抗リウマチ薬が、シクロスポリン、スルファサラジン、バルデコキシブ、ペニシラミン及びデキサメタゾンからなる群から選ばれ；胃腸薬が、メサラミン、バルサラジド二ナトリウム及びオルサラジンナトリウムからなる群から選ばれ；痛風用製剤がスリンダクであり；グルココルチコイドが、デキサメタゾン、リン酸デキサメタゾン、酢酸メチルプレドニゾロン、ヒドロコルチゾン及びリン酸ヒドロコルチゾンナトリウムからなる群から選ばれ；鼻用製剤が、ジプロピオン酸ベクロメタゾン一水和物、プロピオン酸フルチカゾン、トリアムシノロンアセトニド、フルニソリド、フランカルボン酸モメタゾン一水和物及びブデソニドからなる群から選ばれ；眼科用製剤がケトロラクトロメタミンであり；呼吸器薬がネドクロミルナトリウムであり；そして粘膜薬が、ジプロピオン酸アルクロメタゾン、酪酸ヒドロコルチゾン、フルランドレノリド、吉草酸ベタメタゾン及びプロピオン酸クロベタゾールからなる群から選ばれる、請求項１１に記載の組成物。
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
ヒトＫＩＲ２ＤＬ１およびヒトＫＩＲ２ＤＬ２／３と交叉反応する、抗ＫＩＲ抗体またはその抗体断片であって、
（ａ）ＫＩＲ２ＤＳ４と結合しないか；
（ｂ）アミノ酸残基１０５，１０６，１０７，１０８，１０９，１１０，１１１，１２７，１２９，１３０，１３１，１３２，１３３，１３４，１３５，１５２，１５３，１５４，１５５，１５６，１５７，１５８，１５９，１６０，１６１，１６２，１６３，１８１および１９２によって規定されるエピトープ領域内において、ヒトＫＩＲ２ＤＬ１と結合するか；
（ｃ）Ｒ１３１がＡｌａによって置換されているヒトＫＩＲ２ＤＬ１の変異体と結合しないか；
（ｄ）Ｒ１５７がＡｌａによって置換されているヒトＫＩＲ２ＤＬ１の変異体と結合しないか；
（ｅ）Ｒ１５８がＡｌａによって置換されているヒトＫＩＲ２ＤＬ１の変異体と結合しないか；
（ｆ）ヒトＫＩＲ２ＤＬ１残基１３１、１５７および１５８に結合するか；または
（ｇ）Ｒ１３１がＴｒｐによって置換されているヒトＫＩＲ２ＤＳ３の変異体と結合するものの、野生型ＫＩＲ２ＤＳ３と結合せず、
ここにおいて、前記抗体またはその断片は、ヒトＫＩＲ２ＤＬ１および／またはヒトＫＩＲ２ＤＬ２／３によって媒介されるＮＫ細胞の細胞毒性の阻害を減少させ、中和しおよび／または逆転させ；および
ここにおいて、前記抗体断片は、Ｆａｂ断片、Ｆ（ａｂ’）２断片、Ｆｖ断片、Ｆ（ａｂ’）断片、二重特異性抗体および一本鎖抗体（ＳｃＦｖ）から選択される
抗ＫＩＲ抗体またはその抗体断片。
【請求項２】
ＫＩＲ２ＤＬ１および／またはＫＩＲ２ＤＬ２／３ヒト受容体への結合に関して、ＤＦ２００、１−７Ｆ９またはＮＫＶＳＦ１抗体と競合する請求項１に記載の抗体または抗体断片。
【請求項３】
ＫＩＲ２ＤＬ１ヒト受容体への結合に関して、ＥＢ６抗体と競合する請求項１に記載の抗体または抗体断片。
【請求項４】
ＫＩＲ２ＤＬ２／３ヒト受容体への結合に関して、ＧＬ１８３抗体と競合する請求項１に記載の抗体または抗体断片。
【請求項５】
配列番号１または配列番号２に示されるアミノ酸配列を有する軽鎖可変領域を含む請求項１に記載の抗体または抗体断片。
【請求項６】
配列番号３、配列番号４、配列番号５、配列番号６、配列番号７または配列番号８に示されるアミノ酸配列を有する１以上の軽鎖ＣＤＲを含む請求項１に記載の抗体または抗体断片。
【請求項７】
配列番号９に示されるアミノ酸配列を有する重鎖可変領域を含む請求項１に記載の抗体または抗体断片。
【請求項８】
配列番号１０、配列番号１１または配列番号１２に記載のアミノ酸配列を有する１以上の重鎖ＣＤＲを含む請求項１に記載の抗体または抗体断片。
【請求項９】
キメラ抗体、ヒト抗体またはヒト化抗体である請求項１から８の何れか１項に記載の抗体または抗体断片。
【請求項１０】
トキシン、検出可能な部分、放射性同位体、造影剤または固相支持体に抱合されているか、または共有結合されている請求項１から８の何れか１項に記載の抗体または抗体断片を含む誘導体。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
塵埃を含む空気を導入し内周面に沿って旋回させる導入口を有し、旋回により分離された塵埃を集塵する集塵容器、該集塵容器の内部に設けられ分離後の空気を排気するための内筒排気口が形成された内筒を有するサイクロン分離装置において、
前記内筒は、下部が前記集塵容器の底部まで延設され、
前記集塵容器は、分離された塵埃を集塵する底部に、開閉自在な底蓋を設け、
前記底蓋に、該底蓋より突出し、前記内筒の下部に挿入される突出部、および該突出部の外周に設けられ隙間を埋めるシール部材を設けたサイクロン分離装置。
【請求項２】
前記シール部材は、突出部の外周部に、環状に設けられ前記内筒の下部との隙間を埋める請求項１に記載のサイクロン分離装置。
【請求項３】
前記集塵容器は、前記サイクロン集塵装置に対して着脱可能に設けられた請求項１または請求項２に記載のサイクロン分離装置。
【請求項４】
前記内筒排気口には、通過する空気を濾過する内筒フィルタが設けられている請求項１〜３のいずれかに記載のサイクロン分離装置。
【請求項５】
請求項１〜４のいずれかに記載のサイクロン分離装置が、掃除機本体に着脱可能に設ける電気掃除機。
【手続補正書】
【提出日】平成25年2月25日(2013.2.25)
【手続補正１】
【補正対象書類名】明細書
【補正対象項目名】００３１
【補正方法】変更
【補正の内容】
【００３１】
７は洗浄後の純水を回収する回収系統であり、循環ストレーナー８、水質判定装置９、濾過フィルター１０及び複数の切替弁５を有する。回収系統７を通過した洗浄水（洗浄後の純水）は、排水系統１１を経由して排水処理設備１２に排水されるか、或いは循環系統１３を経由して再び供給系統３に供給される。上記配管洗浄設備の各装置は、図示しない制御装置に接続され、一定のシーケンスで作業工程に従って運用される。
【手続補正２】
【補正対象書類名】明細書
【補正対象項目名】００３２
【補正方法】変更
【補正の内容】
【００３２】
次に、図２に示す洗浄作業工程において、Ｓ２１「水張り」では、貯水タンク２の純水を供給して洗浄対象系統と配管洗浄設備を満水状態にし、配管防錆剤等の水溶性不純物を純水に溶解させる。次にＳ２２「押出し洗浄」では、満水にした洗浄対象系統と配管洗浄設備の保有水量の１乃至２倍程度の使用水量を洗浄用ポンプ４により供給系統３、洗浄対象系統６、回収系統７、排水系統１１を経由して排水処理設備１２に流出させ、水溶性不純物や微細異物を排出する。次にＳ２３「循環洗浄」で、供給系統３、洗浄対象系統６、回収系統７、循環系統１３からなる閉ループを構成し、循環ストレーナー８で比較的大きな異物を捕捉し、ろ過フィルター１０で洗浄水中の微細異物を捕捉する。循環ストレーナー８のろ過精度を６０〜１２０メッシュ、ろ過フィルター１０のろ過精度を０．１〜１００ミクロン程度とすれば、上記異物を適切に除去できる。
【手続補正３】
【補正対象書類名】図面
【補正対象項目名】図１
【補正方法】変更
【補正の内容】
【図１】
2012176336.tif 000001
【手続補正書】
【提出日】平成25年9月10日(2013.9.10)
【手続補正１】
【補正対象書類名】明細書
【補正対象項目名】００１４
【補正方法】変更
【補正の内容】
【００１４】
本発明の給湿液で利用されるジカルボン酸エステル化合物は一般的にジカルボン酸化合物とアルコールを反応させることにより得ることができる。
【手続補正２】
【補正対象書類名】明細書
【補正対象項目名】００１６
【補正方法】変更
【補正の内容】
【００１６】
前記アルコール残基として得られるアルキル基Ｒ２及びＲ３は直鎖もしくは分岐のアルキル鎖であり、炭素数が１〜１５のアルキル基が好ましく、例えばメチル基、エチル基、直鎖または分岐のプロピル基、直鎖または分岐のブチル基、直鎖または分岐のペンチル基、直鎖または分岐のヘキシル基、直鎖または分岐のヘプチル基、直鎖または分岐のオクチル基、直鎖または分岐のノニル基、直鎖または分岐のデシル基、直鎖または分岐のウンデシル基、直鎖または分岐のドデシル基、直鎖または分岐のトリデシル基、直鎖または分岐のテトラデシル基、直鎖または分岐のペンタデシル基が挙げられる。好ましくはＲ２及びＲ３が、それぞれ直鎖もしくは分岐のブチル基、ペンチル基、ヘキシル基、ヘプチル基、オクチル基である化合物が挙げられる。
【手続補正書】
【提出日】平成25年7月29日(2013.7.29)
【手続補正１】
【補正対象書類名】特許請求の範囲
【補正対象項目名】請求項２
【補正方法】変更
【補正の内容】
【請求項２】
前記特定階調域内の中間調ハイライト側に対応した前記ドットパターンは、前記第１方向に複数個のドットが連続して連なる第１方向線分パターンが支配的に分布するものであることを特徴とする請求項１に記載の画像処理装置。
【手続補正２】
【補正対象書類名】明細書
【補正対象項目名】０２０２
【補正方法】変更
【補正の内容】
【０２０２】
（発明２）：発明１に記載の画像処理装置において、前記特定階調域内の中間調ハイライト側に対応した前記ドットパターンは、前記第１方向に複数個のドットが連続して連なる第１方向線分パターンが支配的に分布するものであることを特徴とする。
【手続補正書】
【提出日】平成25年6月28日(2013.6.28)
【手続補正１】
【補正対象書類名】特許請求の範囲
【補正対象項目名】請求項１
【補正方法】変更
【補正の内容】
【請求項１】
遊技球が始動手段に検知されたことを契機に、大当りか否かを判定する大当り判定処理を実行する主制御基板を備え、前記大当り判定処理による判定結果に基づいて複数種類の図柄を変動させる図柄変動ゲームが行われる遊技機において、
前記主制御基板には、各種処理を実行する中央処理装置が備えられ、
前記中央処理装置には、第１のハードウェア乱数値と、第２のハードウェア乱数値を生成し、出力するハード乱数生成手段が内蔵され、
前記中央処理装置は、遊技球が始動手段に検知されたことを契機に、第１のハードウェア乱数値と第２のハードウェア乱数値を予め決められた演算方式にて演算することにより大当り判定用乱数を生成し、大当り判定値と一致するか否かを判定することにより前記大当り判定処理を実行するように構成され、
前記ハード乱数生成手段は、
第１のハードウェア乱数値を所定周期毎に更新する一方、
予め決められた処理が実行された場合、第２のハードウェア乱数値を更新するように構成されていることを特徴とする遊技機。
【手続補正２】
【補正対象書類名】特許請求の範囲
【補正対象項目名】請求項５
【補正方法】変更
【補正の内容】
【請求項５】
遊技球が始動手段に検知されたことを契機に、大当りか否かを判定する大当り判定処理を実行する主制御基板を備え、前記大当り判定処理による判定結果に基づいて複数種類の図柄を変動させる図柄変動ゲームが行われる遊技機において、
前記主制御基板には、
各種処理を実行する中央処理装置を備え、
前記中央処理装置には、第１のハードウェア乱数値と、第２のハードウェア乱数値を生成し、出力するハード乱数生成手段と、前記中央処理装置により更新されるソフトウェア乱数値を記憶するソフトウェア乱数記憶手段が内蔵され、
前記中央処理装置は、遊技球が始動手段に検知されたことを契機に、第２のハードウェア乱数値とソフトウェア乱数値を予め決められた演算方式にて演算することにより大当り判定用乱数を生成し、大当り判定値と一致するか否かを判定することにより前記大当り判定処理を実行するように構成され、
前記ハード乱数生成手段は、
第１のハードウェア乱数値を予め決められた周期毎に更新する一方、
第１のハードウェア乱数値が読み取られた際、又は第１のハードウェア乱数値が予め決められた特定値と一致した際に、第２のハードウェア乱数値を更新するように構成されていることを特徴とする遊技機。
【手続補正３】
【補正対象書類名】明細書
【補正対象項目名】０００７
【補正方法】変更
【補正の内容】
【０００７】
上記目的を達成するために、請求項１に記載の発明は、遊技球が始動手段に検知されたことを契機に、大当りか否かを判定する大当り判定処理を実行する主制御基板を備え、前記大当り判定処理による判定結果に基づいて複数種類の図柄を変動させる図柄変動ゲームが行われる遊技機において、前記主制御基板には、各種処理を実行する中央処理装置が備えられ、前記中央処理装置には、第１のハードウェア乱数値と、第２のハードウェア乱数値を生成し、出力するハード乱数生成手段が内蔵され、前記中央処理装置は、遊技球が始動手段に検知されたことを契機に、第１のハードウェア乱数値と第２のハードウェア乱数値を予め決められた演算方式にて演算することにより大当り判定用乱数を生成し、大当り判定値と一致するか否かを判定することにより前記大当り判定処理を実行するように構成され、前記ハード乱数生成手段は、第１のハードウェア乱数値を所定周期毎に更新する一方、予め決められた処理が実行された場合、第２のハードウェア乱数値を更新するように構成されていることを要旨とする。
【手続補正４】
【補正対象書類名】明細書
【補正対象項目名】００１１
【補正方法】変更
【補正の内容】
【００１１】
請求項５に記載の発明は、遊技球が始動手段に検知されたことを契機に、大当りか否かを判定する大当り判定処理を実行する主制御基板を備え、前記大当り判定処理による判定結果に基づいて複数種類の図柄を変動させる図柄変動ゲームが行われる遊技機において、前記主制御基板には、各種処理を実行する中央処理装置を備え、前記中央処理装置には、第１のハードウェア乱数値と、第２のハードウェア乱数値を生成し、出力するハード乱数生成手段と、前記中央処理装置により更新されるソフトウェア乱数値を記憶するソフトウェア乱数記憶手段が内蔵され、前記中央処理装置は、遊技球が始動手段に検知されたことを契機に、第２のハードウェア乱数値とソフトウェア乱数値を予め決められた演算方式にて演算することにより大当り判定用乱数を生成し、大当り判定値と一致するか否かを判定することにより前記大当り判定処理を実行するように構成され、前記ハード乱数生成手段は、第１のハードウェア乱数値を予め決められた周期毎に更新する一方、第１のハードウェア乱数値が読み取られた際、又は第１のハードウェア乱数値が予め決められた特定値と一致した際に、第２のハードウェア乱数値を更新するように構成されていることを要旨とする。
【手続補正書】
【提出日】平成25年5月24日(2013.5.24)
【手続補正１】
【補正対象書類名】特許請求の範囲
【補正対象項目名】請求項１
【補正方法】変更
【補正の内容】
【請求項１】
遊技球の入球検知を契機に第１図柄変動ゲームの始動条件を付与する第１始動手段、及び遊技球の入球検知を契機に前記第１図柄変動ゲームとは異なる図柄変動ゲームの始動条件を付与するとともに遊技球の入球口が開放状態と閉鎖状態を取り得るように動作する開放部材を含む第２始動手段を備えた遊技機において、
遊技球を遊技盤の遊技領域に発射させる発射装置と、
現在の遊技状態において入球が推奨されない始動手段で遊技球が入球検知された場合、現在の遊技状態において入球が推奨される始動手段への入球を推奨する推奨報知演出を報知手段に実行させる報知制御手段と、を備え、
前記第２始動手段には、第１の遊技状態中は遊技球が入球し難い一方で、前記第１の遊技状態とは異なる第２の遊技状態中は前記第１の遊技状態中に比して遊技球が入球し易くなっており、
遊技盤には、前記第１始動手段及び前記第２始動手段のうち、一方の始動手段を狙って遊技球を発射させた場合、両方の始動手段に遊技球が入球可能である一方で、他方の始動手段を狙って遊技球を発射させた場合、どちらか一方の始動手段にしか遊技球が入球しないように遊技球の流路が形成されており、
前記報知制御手段は、現在の遊技状態において入球が推奨されない始動手段で遊技球が入球検知されたことを契機にタイマの計測を開始し、その計測時間が予め定めた時間に到達するまでに再度遊技球が入球検知されたときには、前記推奨報知演出を実行させることを特徴とする遊技機。
【手続補正２】
【補正対象書類名】特許請求の範囲
【補正対象項目名】請求項２
【補正方法】変更
【補正の内容】
【請求項２】
前記第２始動手段は、遊技球の入球検知を契機に前記第１図柄変動ゲームとは異なる第２図柄変動ゲームの始動条件を付与する第２始動入賞口と、遊技球の入球検知を契機に前記開放部材を開放させるか否かの抽選契機を与える契機付与手段とで構成され、
前記第１の遊技状態は、前記開放部材の単位時間あたりの開放時間を増加させない開放時間非増加状態である一方で、前記第２の遊技状態は、前記開放部材の単位時間あたりの開放時間を増加させる開放時間増加状態であって、
前記報知制御手段は、前記開放時間非増加状態中に前記契機付与手段で遊技球が入球検知されたことを契機にタイマの計測を開始し、その計測時間が予め定めた時間に到達するまでに再度遊技球が入球検知されたときには、前記推奨報知演出を実行させることを特徴とする請求項１に記載の遊技機。
【手続補正３】
【補正対象書類名】特許請求の範囲
【補正対象項目名】請求項４
【補正方法】変更
【補正の内容】
【請求項４】
大当りか否かの大当り抽選に当選した場合に決定される大当りには、前記開放時間増加状態の対象となる図柄変動ゲーム数を異ならせた複数種類の大当りが設定されており、
前記報知制御手段は、大当り遊技終了後であって、前記開放時間非増加状態となったことを契機に、現在の遊技状態において入球が推奨される始動手段を報知する対象報知演出を実行させることを特徴とする請求項２又は請求項３に記載の遊技機。
【手続補正４】
【補正対象書類名】明細書
【補正対象項目名】０００６
【補正方法】変更
【補正の内容】
【０００６】
上記問題点を解決するために、請求項１に記載の発明は、遊技球の入球検知を契機に第１図柄変動ゲームの始動条件を付与する第１始動手段、及び遊技球の入球検知を契機に前記第１図柄変動ゲームとは異なる図柄変動ゲームの始動条件を付与するとともに遊技球の入球口が開放状態と閉鎖状態を取り得るように動作する開放部材を含む第２始動手段を備えた遊技機において、遊技球を遊技盤の遊技領域に発射させる発射装置と、現在の遊技状態において入球が推奨されない始動手段で遊技球が入球検知された場合、現在の遊技状態において入球が推奨される始動手段への入球を推奨する推奨報知演出を報知手段に実行させる報知制御手段と、を備え、前記第２始動手段には、第１の遊技状態中は遊技球が入球し難い一方で、前記第１の遊技状態とは異なる第２の遊技状態中は前記第１の遊技状態中に比して遊技球が入球し易くなっており、遊技盤には、前記第１始動手段及び前記第２始動手段のうち、一方の始動手段を狙って遊技球を発射させた場合、両方の始動手段に遊技球が入球可能である一方で、他方の始動手段を狙って遊技球を発射させた場合、どちらか一方の始動手段にしか遊技球が入球しないように遊技球の流路が形成されており、前記報知制御手段は、現在の遊技状態において入球が推奨されない始動手段で遊技球が入球検知されたことを契機にタイマの計測を開始し、その計測時間が予め定めた時間に到達するまでに再度遊技球が入球検知されたときには、前記推奨報知演出を実行させることを要旨とする。
【手続補正５】
【補正対象書類名】明細書
【補正対象項目名】０００７
【補正方法】変更
【補正の内容】
【０００７】
請求項２に記載の発明は、請求項１に記載の遊技機において、前記第２始動手段は、遊技球の入球検知を契機に前記第１図柄変動ゲームとは異なる第２図柄変動ゲームの始動条件を付与する第２始動入賞口と、遊技球の入球検知を契機に前記開放部材を開放させるか否かの抽選契機を与える契機付与手段とで構成され、前記第１の遊技状態は、前記開放部材の単位時間あたりの開放時間を増加させない開放時間非増加状態である一方で、前記第２の遊技状態は、前記開放部材の単位時間あたりの開放時間を増加させる開放時間増加状態であって、前記報知制御手段は、前記開放時間非増加状態中に前記契機付与手段で遊技球が入球検知されたことを契機にタイマの計測を開始し、その計測時間が予め定めた時間に到達するまでに再度遊技球が入球検知されたときには、前記推奨報知演出を実行させることを要旨とする。
【手続補正６】
【補正対象書類名】明細書
【補正対象項目名】０００９
【補正方法】変更
【補正の内容】
【０００９】
請求項４に記載の発明は、請求項２又は請求項３に記載の遊技機において、大当りか否かの大当り抽選に当選した場合に決定される大当りには、前記開放時間増加状態の対象となる図柄変動ゲーム数を異ならせた複数種類の大当りが設定されており、前記報知制御手段は、大当り遊技終了後であって、前記開放時間非増加状態となったことを契機に、現在の遊技状態において入球が推奨される始動手段を報知する対象報知演出を実行させることを要旨とする。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
当りか否かの当り抽選に当選した場合に図柄変動ゲームの終了後に、第１の入賞手段及び第２の入賞手段を含む何れかの入賞手段が開放される当り遊技が行われ、前記当り遊技中には当り遊技演出が演出実行手段で行われるように構成され、前記第１の入賞手段は前記第２の入賞手段に比して遊技盤に発射された遊技球が到達し易い領域に配設された遊技機において、
前記当り遊技として前記第１の入賞手段を開放させる場合には第１の当り遊技制御を行うとともに前記当り遊技として前記第２の入賞手段を開放させる場合には第２の当り遊技制御を実行する当り遊技制御手段と、
前記当り遊技演出を行わせるように前記演出実行手段を制御する演出制御手段と、を備え、
前記当り遊技制御手段は、前記第１の当り遊技制御及び前記第２の当り遊技制御において、これら各当り遊技制御の開始から所定時間の経過後に対応する何れかの入賞手段を開放させるように制御し、
前記演出制御手段は、前記当り遊技制御手段の前記第１の当り遊技制御及び前記第２の当り遊技制御の何れかの制御の開始に伴い、共通当り遊技演出を行わせるとともに前記共通当り遊技演出の途中から前記入賞手段として何れの入賞手段が開放されるかを報知する報知演出を行わせることを特徴とする遊技機。
【請求項２】
前記第１の入賞手段を開放させる当り遊技には、前記第１の入賞手段の１回の開放時間を第１開放時間とする第１開放当り遊技と、前記第１の入賞手段の１回の開放時間を前記第１開放時間よりも短い第２開放時間とする第２開放当り遊技と、を含み、
前記演出制御手段は、前記共通当り遊技演出の終了後、前記第１開放当り遊技及び前記第２開放当り遊技の何れであるかを報知する演出を行わせる請求項１に記載の遊技機。
【請求項３】
前記第１開放当り遊技には、前記第１の入賞手段の開放回数を第１開放回数とする第１回数当り遊技と、前記第１の入賞手段の開放回数を前記第１開放回数よりも多い第２開放回数とする第２回数当り遊技と、を含み、
前記演出制御手段は、前記第１の入賞手段が前記第１開放回数分、開放された後、前記第１回数当り遊技及び前記第２回数当り遊技の何れであるか報知する演出を行わせる請求項２に記載の遊技機。
【手続補正２】
【補正対象書類名】明細書
【補正対象項目名】０００８
【補正方法】変更
【補正の内容】
【０００８】
上記目的を達成するために、請求項１に記載の発明は、当りか否かの当り抽選に当選した場合に図柄変動ゲームの終了後に、第１の入賞手段及び第２の入賞手段を含む何れかの入賞手段が開放される当り遊技が行われ、前記当り遊技中には当り遊技演出が演出実行手段で行われるように構成され、前記第１の入賞手段は前記第２の入賞手段に比して遊技盤に発射された遊技球が到達し易い領域に配設された遊技機において、前記当り遊技として前記第１の入賞手段を開放させる場合には第１の当り遊技制御を行うとともに前記当り遊技として前記第２の入賞手段を開放させる場合には第２の当り遊技制御を実行する当り遊技制御手段と、前記当り遊技演出を行わせるように前記演出実行手段を制御する演出制御手段と、を備え、前記当り遊技制御手段は、前記第１の当り遊技制御及び前記第２の当り遊技制御において、これら各当り遊技制御の開始から所定時間の経過後に対応する何れかの入賞手段を開放させるように制御し、前記演出制御手段は、前記当り遊技制御手段の前記第１の当り遊技制御及び前記第２の当り遊技制御の何れかの制御の開始に伴い、共通当り遊技演出を行わせるとともに前記共通当り遊技演出の途中から前記入賞手段として何れの入賞手段が開放されるかを報知する報知演出を行わせることを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記第１の入賞手段を開放させる当り遊技には、前記第１の入賞手段の１回の開放時間を第１開放時間とする第１開放当り遊技と、前記第１の入賞手段の１回の開放時間を前記第１開放時間よりも短い第２開放時間とする第２開放当り遊技と、を含み、前記演出制御手段は、前記共通当り遊技演出の終了後、前記第１開放当り遊技及び前記第２開放当り遊技の何れであるかを報知する演出を行わせることを要旨とする。
請求項３に記載の発明は、請求項２に記載の遊技機において、前記第１開放当り遊技には、前記第１の入賞手段の開放回数を第１開放回数とする第１回数当り遊技と、前記第１の入賞手段の開放回数を前記第１開放回数よりも多い第２開放回数とする第２回数当り遊技と、を含み、前記演出制御手段は、前記第１の入賞手段が前記第１開放回数分、開放された後、前記第１回数当り遊技及び前記第２回数当り遊技の何れであるか報知する演出を行わせることを要旨とする。
【手続補正４】
【補正対象書類名】明細書
【補正対象項目名】０２３１
【補正方法】変更
【補正の内容】
【０２３１】
次に、上記実施形態及び別例（変形例）から把握できる技術的思想について以下に追記する。
（イ）前記第１の入賞手段は、前記第２の入賞手段に比して前記流下路の上流側に配設される。
【手続補正５】
【補正対象書類名】明細書
【補正対象項目名】０２３２
【補正方法】変更
【補正の内容】
【０２３２】
（ロ）前記第２の入賞手段は、前記第１の入賞手段を狙って発射された遊技球が到達可能な位置に配設される。
【手続補正６】
【補正対象書類名】明細書
【補正対象項目名】０２３３
【補正方法】変更
【補正の内容】
【０２３３】
（ハ）前記当り遊技制御手段は、前記第１の当り遊技制御を行うに際し、前記第２の当り遊技制御を行う場合に比して遊技者にとって有利になるように前記第１の入賞手段を制御する。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
当り遊技中における遊技演出の演出内容として、特定条件が成立していない場合には、特定の演出内容とは異なる演出内容を選択する一方で、前記特定条件が成立している場合には、前記特定の演出内容を含む演出内容から演出内容を選択する演出内容選択手段と、
前記演出内容選択手段が選択した演出内容に基づいて、前記当り遊技中に遊技演出を実行させる演出制御手段と、
前記当り遊技中の始動保留記憶の中に、当りとなる始動保留記憶が含まれているか否かを事前判定する事前判定手段と、を備え、
前記演出制御手段は、
前記事前判定手段の判定結果が肯定の場合であって、前記当り遊技中に前記特定の演出内容とは異なる演出内容に基づく遊技演出を実行させるときに、その当り遊技中に前記遊技演出とは異なる特別演出を実行させる一方で、前記当り遊技中に前記特定の演出内容に基づく遊技演出を実行させるときに、前記特定の演出内容に基づく遊技演出の実行中における前記特別演出の実行を規制する遊技機。
【請求項２】
前記事前判定手段は、前記当り遊技中の始動保留記憶の中に含まれている前記当りの始動保留記憶の数をさらに計数するようになっており、
前記演出制御手段は、前記事前判定手段が計数した前記当りの始動保留記憶の数に応じた演出内容で前記特別演出を実行させる請求項１に記載の遊技機。
【請求項３】
遊技者が操作可能な演出用操作手段をさらに備え、
前記演出制御手段は、前記当り遊技中に設定される特定期間内に前記演出用操作手段が操作された場合に前記特別演出を実行させる請求項１又は請求項２に記載の遊技機。
【請求項４】
当りか否かの当り判定の判定結果が肯定の場合に、付与する当りの種類を決定する当り種決定手段と、
前記事前判定手段が肯定判定した場合に、当りの始動保留記憶に基づき付与される当りの種類を事前判定する当り種事前判定手段と、をさらに備え、
前記当りには、第１の利益を遊技者に付与する第１当りと、前記第１の利益よりも遊技者に有利な第２の利益を遊技者に付与する第２当りと、を含み、
前記演出制御手段は、前記当り種事前判定手段が事前判定した当りの種類に応じた演出内容で前記特別演出を実行させる請求項１〜請求項３のうち何れか一項に記載の遊技機。
【手続補正２】
【補正対象書類名】明細書
【補正対象項目名】０００７
【補正方法】変更
【補正の内容】
【０００７】
上記課題を解決するために、請求項１に記載の発明は、当り遊技中における遊技演出の演出内容として、特定条件が成立していない場合には、特定の演出内容とは異なる演出内容を選択する一方で、前記特定条件が成立している場合には、前記特定の演出内容を含む演出内容から演出内容を選択する演出内容選択手段と、前記演出内容選択手段が選択した演出内容に基づいて、前記当り遊技中に遊技演出を実行させる演出制御手段と、前記当り遊技中の始動保留記憶の中に、当りとなる始動保留記憶が含まれているか否かを事前判定する事前判定手段と、を備え、前記演出制御手段は、前記事前判定手段の判定結果が肯定の場合であって、前記当り遊技中に前記特定の演出内容とは異なる演出内容に基づく遊技演出を実行させるときに、その当り遊技中に前記遊技演出とは異なる特別演出を実行させる一方で、前記当り遊技中に前記特定の演出内容に基づく遊技演出を実行させるときに、前記特定の演出内容に基づく遊技演出の実行中における前記特別演出の実行を規制することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記事前判定手段は、前記当り遊技中の始動保留記憶の中に含まれている前記当りの始動保留記憶の数をさらに計数するようになっており、前記演出制御手段は、前記事前判定手段が計数した前記当りの始動保留記憶の数に応じた演出内容で前記特別演出を実行させることを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の遊技機において、遊技者が操作可能な演出用操作手段をさらに備え、前記演出制御手段は、前記当り遊技中に設定される特定期間内に前記演出用操作手段が操作された場合に前記特別演出を実行させることを要旨とする。
【手続補正５】
【補正対象書類名】明細書
【補正対象項目名】００１０
【補正方法】変更
【補正の内容】
【００１０】
請求項４に記載の発明は、請求項１〜請求項３のうち何れか一項に記載の遊技機において、当りか否かの当り判定の判定結果が肯定の場合に、付与する当りの種類を決定する当り種決定手段と、前記事前判定手段が肯定判定した場合に、当りの始動保留記憶に基づき付与される当りの種類を事前判定する当り種事前判定手段と、をさらに備え、前記当りには、第１の利益を遊技者に付与する第１当りと、前記第１の利益よりも遊技者に有利な第２の利益を遊技者に付与する第２当りと、を含み、前記演出制御手段は、前記当り種事前判定手段が事前判定した当りの種類に応じた演出内容で前記特別演出を実行させることを要旨とする。
【手続補正６】
【補正対象書類名】明細書
【補正対象項目名】０１６１
【補正方法】変更
【補正の内容】
【０１６１】
次に、上記実施形態及び別例（変形例）から把握できる技術的思想について以下に追記する。
（イ）遊技者が操作可能な演出用操作手段をさらに備え、前記特別演出制御手段は、前記事前判定手段が計数した当りの始動保留球の個数が特定個数に達している場合であって、第１演出内容による特別演出の実行中に設定される特定期間内に前記演出用操作手段が操作された場合に第２演出内容による特別演出を実行させる。
【手続補正７】
【補正対象書類名】明細書
【補正対象項目名】０１６２
【補正方法】変更
【補正の内容】
【０１６２】
（ロ）前記当りには、第１の利益を遊技者に付与する第１当りと、前記第１の利益よりも遊技者に有利な第２の利益を遊技者に付与する第２当りと、を含み、前記事前判定手段は、前記第２当りの始動保留球の個数を計数する。
【手続補正８】
【補正対象書類名】明細書
【補正対象項目名】０１６３
【補正方法】変更
【補正の内容】
【０１６３】
（ハ）前記当り遊技終了後の遊技状態を確率変動状態、及び非確率変動状態の何れかに制御する状態制御手段と、前記保留記憶手段に記憶されている始動保留球毎に、その始動保留球に基づく当り判定時の遊技状態を事前判定する状態事前判定手段と、をさらに備え、前記事前判定手段は、前記保留記憶手段に記憶された始動保留球が、前記状態事前判定手段が事前判定した遊技状態において前記当りの始動保留球となるか否かを事前判定する。